【手続補正書】
【提出日】平成20年6月9日(2008.6.9)
【手続補正１】
【補正対象書類名】明細書
【補正対象項目名】０００８
【補正方法】変更
【補正の内容】
【０００８】
【図１】太陽電池の例。バイオシステムは、太陽からのエネルギー／エントロピー、宇宙のエネルギー／エントロピーを利用して、機能することが多い。人工的にエネルギーの補給をする必要があるが、太陽電池やバッテリー、熱発電、バイオ発電、イオン発電、血流発電といったの、アーティフィシャル・バイオシステムに応用できる。例として色素増感型太陽電池、ＡＬのコンビネーションにおいて、低コストエネルギー補強が出来る。ナノ・マテリアルの利用。アシメトリーを利用したシステム。光合成、イオン電池も似たような原理。グレーディエントを利用したシステム。
【図２】光合成、Ｃ６０、Ｃ７０、カーボンナノチューブ、有機ポリマーの太陽電池。
【図３】海水を利用して、エネルギー補給をするとしたら、アシメトリーを利用する。ビジネス濃度、イオン濃度、仕事関数、仕事関数濃度、濃度、ヒカリの利用。シリコン型太陽電池とバッテリーは、似たような原理。評価関数、評価関数濃度。
【図４】バイオ的に／人工的に、水電池／固体／液体／ガス／バッテリー／マテリアルを使ったエネルギーによって、バイオモーターを作る原理図。物質の固有振動数を使ったモーター。静電気を使ったマイクロモーター。ミニチュア・マグネットを使ったモーター。超音波モーター。マイクロモーター。ナノ・モーター。
【図５】マテリアル・アシメトリー、仕事関数のアシメトリー、仕事関数の非対称性の原理的な説明。
【図６】神経コントロールの例。ナノプロペラマシン・ナノモーターの例。ナノ・ロータリー・モーター。プロトン・グレーディエント／グレーディエントを利用したナノ・マシン。繊細な端子を利用した脳のシグナル・コントロール。
【図７】ファン、フィルム、シートを利用した、酸素濃度、二酸化炭素濃度のグレーディエントを利用した人工肺／人工酸素マシン／人工空気クリーナー。人工ミトコンドリア／人工ＴＣＡ回路を利用した人工メタボリズム。
【図８】人工サポート型組織。アーティフィシャル・バイオ・サポーティング・システム。ナチュラリー・アーティフィシャル・サポーティング・システム。吉野  信の言う「自然は、神。Ｎａｔｕｒｅ  ｉｓ  Ｄｉｖｉｎｅ」を利用したシステム。
【図９】人工筋肉、圧電素子を利用した人工心臓。
【図１０】ナノ・カプセル、薬、ＤＮＡ、ＲＮＡ、ＳＮＰ、ＣＮＰ、ナノマテリアル、マテリアル、システム、アルゴリズムを利用した治療。
【図１１】人工の瞳。
【図１２】吉野  信の写真集を世界中の人に見てもらうためのシステム。インターナショナル・インターネット／コミュニケーションの発展をするビジネスモデル。
【図１３】バイオ・システム・アーキテクチャー。リアル・ワールド・アプリケーション。
【図１４】理論・方程式・ぐん・解析。
【図１５】簡易型人工心臓。製造の容易性。
【図１６】簡易型酸素ボンベ。持ち運びが必要なら可能である。
【図１７】エコ・酸素キャリヤー。イオン、マイナスイオン、固体、液体、ガス、プラズマ、超臨界を使用してもよい。
【図１８】ナノ・マシーンの例。ナノ・スプリングの例。
【図１９】ヨシノ・ディメンショナル・エレメント・セット・セオリーの正解確率の例。
【図２０】ヨシノ・ディメンショナル・エレメント・セット・セオリーの応用例。
【図２１】ヨシノ・ディメンショナル・エレメント・セット・セオリーの基本概念の例。
【図２２】ヨシノ・コード例。
【図２３】ヨシノ・トランス・デルタ  方法。有害な生命体／物質／エンティティーを無害／有益な生命体／物質／エンティティーに変える。例えば、有害なウィルス／生命体のナノマテリアルをスムースにする。そして、これが、セルとのコミュニケーションに変化を作る。
【図２４】ヨシノ・トランス・デルタ  方法。有害な生命体／物質／エンティティーを無害／有益な生命体／物質／エンティティーに変える。例えば、有害なウィルス／生命体のナノマテリアルに変化を与えるように、内部／外部からＤＮＡ／ＲＮＡ／遺伝子操作を行うことによって、有益なウィルスにコンバートしてしまう。
【図２５】バイオ・シュミレーション・イニシャル・スターター、セルス・グロー・シュミレーション／Ｃｅｌｌｓ  Ｇｒｏｗ  Ｓｉｍｕｌａｔｉｏｎ／Ｃｏｍｐｕｔｅｒ  Ｇｒａｐｈｉｃｓ  の、組織例の図。バーチュアル・クリーチャー／ハート・シュミレーションの例の図。
【図２６】吉野・ナノ・メモリー。プロテインや、ナノのレベルで、３Ｄメモリを作ることにより、記憶容量とインプット／ミドルプット／アウトプット、Ｉｎｐｕｔ・Ｍｉｄｄｌｅｐｕｔ・Ｏｕｔｐｕｔ、を飛躍的に改善する。ホログラフィック・３Ｄ・メモリなどが例である。
【図２７】吉野・ｅ−メディカル／吉野・ナノ・メディカル。アーティフィシャル・ブレイン。ＣＴ、ＭＲＩ、３Ｄスキャナー、４Ｄスキャナーのような、スキャニング・デバイスを用いて、脳の構造、機能を、獲得、解析する。脳は、脳・ボディーのコントローラー／制御器としても、機能している／働いている。脳を、アーティフィシャルに／人工的に／バイオ的に／機械的／ロボット的にに、作る／行う。脳は、シィンキング／思考／ボディー・コントロール／血液／血流／ケミカル／ケミカル・温度ケミカル・バッファー／バッファー／温度／本能／ケミカル・プロテイン・エンザイム・ホルモン／ナノ・エレメント／医薬品の分泌に／ケミカル・プロテイン・ホルモン、のインプット・ミドルプット・アウトプットとして、シィンキング機能できるように／機能できるように／働くように／適宜に、維持する／作る／製作する／機能させる。３Ｄスキャナーで、大脳、中脳、小脳をスキャンして、それと同じような構造の／機能を有する、システムを作り、それらを組み合わせて、アーティフィシャル・ブレインを製作しても良い。大脳／アーティフィシャル・大脳については、メモリ、ＲＡＭ、ソリッド・メモリ、リキッド・メモリ、ガス・メモリ、プラズマ・メモリ、ハードディスク、ＲＯＭ、ＣＤ、ＤＶＤ、電子部品、ヒカリ・ファイバー、コンピューター、ロボット、バイオ・エレメント、ニューラル・ネットワーク、ヒカリ・エレメントのような、メモリ・ディバイスに蓄えても良い。中脳／アーティフィシャル・中脳については、本能、先頭、バイオス、回路、ＬＳＩ、ＡＬＵ、ＣＰＵ、ＭＰＵ、ＭＰＵＮ、電子部品、プログラム、オペレーティング・システム、コンピューター、ロボット、ヒカリ・ファイバー、ヒカリ・通信システム、ヒカリ・ネット、バイオ・エレメント、ニューラル・ネットワーク、ヒカリ・エレメントのような、コントロール系／制御系／シィンキング系／ネットワーク系／コミュニケーション系／本能系／バイオス系／メモリ系／戦闘系に、について、構成されていても／設定する／設定できるようなシステムであっても／プライオリティーを作る／オフェンス・攻勢するシステムであっても／ディフェンス・防御するシステムであっても、良い。これらについては、特願２００５−１６６０９７、特願２００５−２２７２１０を、参照することもできる。小脳／アーティフィシャル・小脳については、血液／血流／ケミカル／温度／本能／プロテイン・エンザイム・ホルモン／脳／ボディー／医薬品のコントロールをしても良い。コンテイナーに、血液／血流／ケミカル／温度／本能／プロテイン・エンザイム・ホルモン／脳／ボディー／医薬品を入れておき、それらの分泌／インプット・ミドルプット・アウトプットを、ゲート、細胞壁の門、ジョイント部、弁、ストッパー、Ｉ．Ｃ．  Ｉ．Ｄ．ピエゾ・ユニット、ノズル、電子部品、ヒカリ・ファイバー、バイオ・エレメント、ニューラル・ネットワーク、ヒカリ・エレメントのような、コミュニケーション・デバイスコントロールしても良い。モーター／ナノ・モーター／バッテリー／コンデンサー／キャパシター／ＩＣ／制御回路を用いて、血液／血流／ケミカル／温度／本能／プロテイン・エンザイム・ホルモン／脳���ボディーを、コントロールしても良い。アーティフィシャル・ブレインを製作するのに、リソグラフィー、レーザー・加工、シリコン・加工、プラズマ・技術、ヒカリ・技術、ナノテクノロジーを用いても良い。モーター／マイクロモーター／ナノ・モーター／バッテリー／コンデンサー／キャパシター／ＩＣ／制御回路／コンピューター／ロボットによって、構成されていても、機能していても良い。医療、再生医療、若返りの医療、死者を生き返らせるのに、用いられても／応用されても良い。人が死ぬとは、一般に、ボディー・ファンクションの一部／いくつかが壊れる／機能しなくなることによって、ホルモン／エンザイム／プロテイン／ケミカル／エネルギー／エネルギー循環／体温の維持が、適宜に行えなくなって、ボディー・全体が機能しなくなることである。そこで、電気刺激などを、与えることによって、死者を生き返らせることが、可能である。たいていは、短い時間のうちに、生き返るので、医療的には、死んだことにはならなかったのだろうが、電気刺激を与えなければ、死んだままなので、一応は、死者を生き返らせたと、みなすこともできる。死んだままの状態が、一定の時間、維持された際、それを、復活させるのは、死ぬまでの経過を、逆にしていけば良い。酸素補給が適宜になされている際、生体内での、細胞内での、ミトコンドリア内でのＡＣＴサイクルが、適宜に／十分に機能しているのなら、血液／血液の循環が、適宜に／十分に機能しているのなら、体に、一応／十分な、エネルギー／ＡＴＰ／ＡＤＰの補強がなされるようにする。一般に、生物は、エネルギー／ＡＴＰ／ＡＤＰを消費して、エントロピーは、減少して、成長する。成長した後は、エネルギー／ＡＴＰ／ＡＤＰを消費して、生体の、メインテナンス／維持をするが、生活において、エントロピーが、増加するものである。つまり、生活して、細胞分裂などを行うことによって、ＤＮＡ／ＲＮＡに傷がついて、修復が困難になったり、病気になって、細胞が壊れたり、プロテイン／エンザイム／ホルモンへの影響があったり、細胞分裂の際のテレマーの減少もあったり、生体の／生体の部分の／生体の全体の／心理の／家族の不和になったり、エントロピーが増大したり、細胞分裂ができなくなったり、幹細胞の製造がなされなくなったりして、若い／新しい細胞を製造できなくなり／生体のアップデートができなくなり、ホルモン／エンザイム／プロテイン／ケミカル／エネルギー／エネルギー・循環／体温の維持が、スムース／速やか／適宜になされなくなり、生体の機能に影響がでて、生体の、ケミカル／血液／血液循環／エネルギー／エントロピー／バランス／体温が、維持できなくなり／壊れ、これゆえに、生体／生物は、死を遂げることが多いので、これらを／これらの循環を、逆にすれば良い。つまり、太陽光／核融合エネルギーエネルギー／より多くのエネルギー／適宜なエネルギー／生体・エネルギー／外部中部／内部／エネルギーからでも、生体に、投与して、エクスターナル／ミドルターナル／インターナルでも、テレマラーゼの適宜な量の投与／テレマラーゼのＤＮＡ／ＲＮＡへの組み替え／組み込みによって、テレマーの延長をしてもよいし、幹細胞を成長させて、若い／新しい細胞にして／���胞を製造して、アップデートしてもよい。これによって、ホルモン／エンザイム／プロテイン／ケミカル／エネルギー／エネルギー・循環／体温の維持が、スムース／速やか／適宜になるなら、健康の維持、若返り、死者を生き返らせることも、不可能でなくなる／可能になる。例えば、エネルギーは、必要かもしれないが、肌／親知らず／歯の細胞のタイミング・サイクルをリワインドして、幹細胞／ｉＰＳ細胞を造っても良い。それから、若い／新しい血液／細胞／臓器／ニューロン／ニューラル・ネットワーク／脳をつくっても良い。ケミカル・シンセシス／ナノテクノロジー／化学合成／によって、若い／新しい血液／細胞／臓器／ニューロン／ニューラル・ネットワーク／脳／クローンを作っても良い。電子部品、電子機器、電子回路、ロボット・技術、ヒカリ・技術によって、構造／機能が、できるようならば、それ／それらを生体に、埋め込む／組み込むこともできる。生体が受け入れるなら、それでも、良い。人工の、眼、心臓、臓器を、アップデート、アーティフィシャル・エボリューションすることによって、より、長寿に生きることができ、入生でより多くのことが達成できると思う。その際、情報も、アップデートさされ、アーティフィシャル・エボリューションすることによって、より、効率よく、クリエイティブな活動もできるようになるであろう。コンピューターは、電源を切っても／一時的にしんでも、メモリ、プログラム、スクリプトを維持する／アップデートすることが、可能であるように、生体／人が、一時的にしんでも、電気／ヒカリ／機会／機械／アンドロイド／ロボット／ナノテクノロジー／ｅ−メディカルバイオ・サポーティング・システムによって、生き返ることが可能となる。
【図２８】吉野ユニバースのナノ・メディカルの図。Ｙｏｓｈｉｎｏ  Ｕｎｉｖｅｒｓｅ：Ｄｅｐａｒｔｍｅｎｔ  Ｏｆ  Ｉｎｔｅｌｌｉｇｅｎｃｅ  Ｄｅｖｅｌｏｐｍｅｎｔ．Ｄｅｐａｒｔｍｅｎｔ  Ｏｆ  Ｍｅｄｉｃａｌ  Ｄｅｖｅｌｏｐｍｅｎｔ．吉野・ナノ・メディカル。アーティフィシャル・ブレイン。人工眼、人工耳といった人工物もアーティフィシャル・ブレインの一部であり得る、若しくは接続可能であり得る。アーティフィシャルなインプット／ミドルプット／アウトプットＡｒｔｉｆｉｃｉａｌ  Ｉｎｐｕｔ／Ｍｉｄｄｌｅｐｕｔ／Ｏｕｔｐｕｔ  のオリジナルストラクチャーの概念図。必要なら、シュミレーション・バイオ・ビルダーによる構築をする。これは、シュミレーション・シティー・ビルダーに似たようなディベロップメントを行う。具体的なハード／ソフト／オペレーティング・システムについての具体例の一つとしては、複数のプレートにヒカリ触媒のリソグラフィーで毛細血管などのバイオストラクチャーをミミック／模倣する。そこに、ニューラルネットワーク／神経網／人工神経網／回路を適宜に張り巡らせる。血液／人工血液から、ミトコンドリア／人工ミトコンドリアによる、ＡＴＣ回路などによる、ＡＴＰ合成を行たり、エネルギー／エントロピー・コントローラをこれらのネットワークに送る。オプションとしてのバッテリーがあっても良い。もちろん、電脳、人工眼、人工耳、人工加速度センサー、などは、インフォメーション／コミュニケーション／無線によってつながっていて、其々が、構造的にはほぼ独立的に機能しているのでも良い。又は、ナノ・コンタクトなどによる、情報伝達も可能である。電脳回路については、人間型の小脳、中脳、大脳といったセクションごとに、発達させてもよい。人間型、フォーワード・カリキュレーション、若しくは、そのミミック・カリキュレーション、若しくは、インプルーブ／インプルーブド・カリキュレーション、クリエイディブなハード／ソフトを入れても良い。ハード／ソフト／オペレーティング・システムの投入によって、パーソナリティーが似ていたり、異なったりしても良い。若しくは、完全人工知能型のストラクチャーにしても良い。４則演算子による、リバース・カリキュレーション、リスプ型人工解析、予想情報空間解析、ウルトラ・クリエイティヴィティーなどである。これらの、システム・ユニットを３Ｄストラクチャーとして、プロパー／適宜にビルドアップしてシステム・インテグレーションを構築していく。スーパー・コンピューター的なメモリ／解析能力を、バイオチップ／ＤＮＡ／遺伝子  コンピューター／ナノ・コンピューターによって、脳／電脳の中に入れて、ハンドルしていく。これらが、外部スーパー・コンピューター／マザー・コンピューター／セントラル・コンピュータなどと、つながっていても良い。コミュニケーション・能力を改善するユニット／システムも投入／構築可能である。吉野のスーパーマン／ウルトラマンプロジェクトのスタートと遂行意思表示とその一部の表現である。吉野ナノ・ブレインにおいて、平和のためであるなら、吉野・タイムマシン・システムの解析能力の保有も可能であり得る。これら、電脳のシステムが外部にあることもあり得る。これを補強脳と���ぶ。特に、脳の機の一部若しくは、部分をサポートする際、補強脳の構造パーセント／Ｒａｔｉｏは、補強脳と自然脳の比で表せる。その際の、アウトプットのインクラメント・パーセント／Ｒａｔｉｏによって、補強脳の性能／能力／脳力が表せる／現せる／示される。ちなみに、携帯電話／音声記録体を使って、これらの補強システムをミミック／シミュレートすることも出来る。しかし、このような手段を使わない、一般人／普通の人のアドバンテージをあまり取らないようにするのも大切かもしれない。普通の人の記憶力は電脳／コンピューター記録媒体のメモリ力と比較すると、必ずしも良すぎるとはいえないようなものもある。人類社会における、非完全性と、超人類社会における、完全性のバランスが要求されるときもある。世界／宇宙が永遠に続くことが出来る／永続できるかについての吟味が人類と超人類に貸された疑問の一つである。つまり、世界／宇宙に最後の日があるのか、ありそうなら、それを越せて、永遠に継続できるのか？宇宙観は無限であり得る。それによって、世界／宇宙は永遠なのだろうか？世界／宇宙は永遠であり、人類／超人類も永遠に永続しもらいたいものである。
【図２９】吉野ユニバースのナノ・メディカルの図。Ｙｏｓｈｉｎｏ  Ｕｎｉｖｅｒｓｅ：Ｄｅｐａｒｔｍｅｎｔ  Ｏｆ  Ｉｎｔｅｌｌｉｇｅｎｃｅ  Ｄｅｖｅｌｏｐｍｅｎｔ．Ｄｅｐａｒｔｍｅｎｔ  Ｏｆ  Ｍｅｄｉｃａｌ  Ｄｅｖｅｌｏｐｍｅｎｔ．
2008043699.tif 000001
吉野・ナノ・メディカル。アーティフィシャル・ハート。アーティフィシャル・バイオ・モーター。アーティフィシャル・バイオ・エンジン。ロータリー・システム、若しくは、アクチュエーターを有する、アーティフィシャル・ハート。流量の適宜なコントロールをする。必要ならば、神経回路とのシグナル・コントロールもする。複数のアクチュエーターのようなものでも良い。シャフト・モーターのような、リニアー・モーターに曲率を持たせたものも可能である。ＤＣモーターの周波数コントロールＰＷＭ制御（１９８８  吉野）のようなシステムの繰り込みをハート・コントロール・システムに入れても良い。ポンピングについて、自然と人工／ナチュラルとアーティフィシャルのバーチュアル・ファンクショナル・エボリューションの改善を図る。例えば、血液がさらさらの状態を保つようにしたりする。疎水性、疎血液のマテリアルを流路表面にコーティングして、血液／素血液／アーティフィシャル・ブラッドのサーキュレーションを改善する。バッテリー、燃料電池、電池、電源、バイオ・エネルギー・ソース、バイオ・バッテリー、血液バッテリー、によって、駆動させても良い。エネルギー、エントロピー、Ｅ、Ｂ、無線、有線、ＡＴＰ、若しくは、マテリアルの供給によって、駆動させたりする。プレッシャー・グレーディエントを利用した、効率の良い、人工心臓。例えば、上と下のリキッド・コンテイナー・セクションの幅や断面積／クロスセクションが相違していたり、体積コントロール・アクチュエーターの複数配置がなされていたりしても良い。グレーディエント・アクセレーターによる、より効率の良い、人工心臓。例えば、タイミング・コントロールされた人工弁によるものである。μ−ボックスによる、適宜なインプット・ミドルプット・アウトプット／ｉｏ／ｉｍｏを行ってもよいかもしれない。イオン・フラックス／イオン・モーター／イオン・ジェットによって、流体／血流のフラックスを作り、コントロールしても良い。【図３０】吉野ユニバースのナノ・メディカル、サイコ  ユニットの図。Ｙｏｓｈｉｎｏ  Ｕｎｉｖｅｒｓｅ：  Ｄｅｐａｒｔｍｅｎｔ  Ｏｆ  Ｉｎｔｅｌｌｉｇｅｎｃｅ  Ｄｅｖｅｌｏｐｍｅｎｔ．Ｄｅｐａｒｔｍｅｎｔ  Ｏｆ  Ｍｅｄｉｃａｌ  Ｄｅｖｅｌｏｐｍｅｎｔ．Ｄｅｐａｒｔｍｅｎｔ  Ｏｆ  Ｄｅｆｅｎｓｅ．
2008043699.tif 000002
吉野  サイコ  ユニット。吉野の思考／意識／念力の基に物体をシューティング／ハンドリングする。ブレイン・ウェーブ・インプット・アウトプット・ユニットにより、心理的／意識的に意の赴くようにターゲットに照準をあわせる。アーティフィシャル・フィールド・コントローラー搭載。ターゲットまでの最適な軌跡やターゲットの最適なオペレーションの計算をする。必要であれば、シューティング／ハンドリング軌跡を曲げることも出来る。波動砲／フォノン／プラズマ／レーザー／メーザー／イオン／エレメント／パーティクル／スーパーストリング／エナジー・シューター／エナジー・コントローラー搭載。オプションとして、ハイ・マルチ・エナジー・シューター／ハンドラー搭載。オプションとして、レーザー・オートマチック・オブジェクト・ジェネレーター／フィールド・コントロール・オートマチック・オブジェクト・ジェネレーターの搭載。オプションとしてレーダー機能も搭載。オプションとして、インプットディバイスも搭載。【図３１】遠隔操作型・フィールド・ハンドラー。レーザー等の放射線とマテリアルの融合により、光子もしくはパーティクルの生成を行う。簡単な例としては、赤外線レーザー若しくは、二酸化炭素レーザーを集光して、空気中にプラズマの光のドットを作る。例として、電磁場によるプラズマの誘導軌跡を作る。例として、ＣＴ、若しくは  ＭＲＩ、インプットディバイス、３Ｄディスプレイ、アウトプットディバイスと併用して、医療器具として用いる。オプションとして、外部から、接触なし／接触ありで、手術／オペレーションをする。人体内部のチェックに内視鏡を使うのも良い。その際のチップに使っても良い。磁気共鳴による、量子オペレーションでも良い。スピンコントロール、量子キャラクターコントロールをしても良い。原始、分子、ナノマテリアル、マテリアルの３Ｄストラクチャー・メイキング、形成構築、多次元粒子体、多次元体に使える。中性子などの浸透率の高いふく射線／パーティクルでも良い。例として、人工的な光合成を行わせて、二酸化炭素、水、水素、酸素、窒素、マテリアル、真空、インフラトン、エネルギー、若しくはそれらのコンビネーションから有機物、エネルギー、若しくは、適宜目的なマテリアルを作る／コントロールする。例として、エネルギーを集中して、空気などのマテリアルより核融合を起こさせ、適宜なマテリアル／所望のマテリアル／エネルギーを製造する、オブジェクト・ジェネレーター。レーザーによる遠隔型近接光の操作を行っても良い。エナジーソースの例として、液体水素、水、燃料電池、バッテリー、エナジー・チャージャー、超伝導コイルバッテリー、パワー、レーザー、エナジー・ジェネレーター、リアクター、核反応炉、核融合炉、超弦エナジー・リリーサーを搭載。必要ならば、コンピュテーション／動力／マテリアル・オペレーション／ハンドリングをエナジーソースから行っても良い。
【図３２】フォトン／レーザー光をフォーカスしてエネルギーを集め、空気などと反応させ、プラズマ／プラズマ光を作る。そして、レーザーによる遠隔型近接光の操作を行っても良い。
【図３３】レーザーによる遠隔型近接光の操作を行っても良い。量子効果を用いて、レーザー等の放射線を波長、若しくは、外壁、中壁、内壁などで複数にわけ、エネルギー・ハンドリング・領域を製作する。
【図３４】レーザーによる遠隔型近接光の操作を行っても良い。量子効果を用いて、レーザー等の放射線を波長、若しくは、外壁、中壁、内壁などで複数にわけ、エネルギー・ハンドリング・領域を製作する。フォーカスポイントを作って、光ピンセットのようにしても良い。量子効果による、ポテンシャル・オペレーション。複数のフォーカスポイントを作って、光ピンセットのようにして、マテリアル・オペレーションをしても良い。似たように、単数／複数のエレメンタリー・パーティクルによる、複数のポテンシャルマップと、複雑なオペレーションも可能である。ＤＮＡ、ＲＮＡ、ニュークレオタイド、たんぱく質、脂肪、細胞といったナノ・オペレーションも可能である。空気、二酸化炭素、水、酸素、窒素、水素、ガス、マテリアルから、合成が比較的早いが、必要なら、空気若しくはガス、マテリアルから核融合による、合成でも良い。
【図３５】超弦エナジー・リリーサー／ニュークリア・エネルギー・リリサー／エネルギー・リリサーの断面図。ラディオロジー・メディカル・システム。
【図３６】ソーラー・エネルギー／プレッシャー・グレーディエントを使って、アーティフィシャル・ハート／アーティフィシャル・ハーツ／バイオ・サポーティング・システムを駆動する／アーティフィシャル・ハート／アーティフィシャル・ハーツ／バイオ・サポーティング・システムの図。プロペラ／モーター／プリンテッド・モーター／エンジン／ポンプ／キャパシター／ソーラー・キャパシター／バッテリー／ソーラー・バッテリーを用いることによって／軽量化することによって、ユーザーが、アーティフィシャル・ハート／バイオ・サポーティング・システムを日常に使用しやすくする。
【図３７】３Ｄオブジェクト・ジェネレーターを用いて、プラスチック形状を積み上げて３Ｄのプラスチック・ハートをカスタム・メーキングすることも可能であることを示した図。
【図３８】３Ｄオブジェクト・ジェネレーターを用いて、ダイヤモンド／金属／プラズマ・イオン・インプランテッド・メタル／セラミック／プラズマ・イオン・インプランテッド・セラミック／プラズマ・イオン・インプランテッド・プラスチック／プラズマ・イオン・インプランテッド・シリコン／プラスチック／マテリアル／モーター／バッテリー／バイオ・マテリアル／細胞／心筋細胞／幹細胞／ｉＰＳ細胞／培養された細胞／フォームに付着された細胞を用いて、３Ｄのアーティフィシャル・ハートを製作することも可能であることを示した図。
【図３９】バイオ・マテリアル／マテリアル／培養された細胞／フォームに付着された細胞／金属／プラスチック／セラミックを、切る／加工する／パッチする／貼り付ける／着させる／組み合わせる／つなげ合わせる／ジョイントすることによって、アーティフィシャル・ハートを作る／製作することが可能であること示した図。
【図４０】人／生物の心臓細胞／心筋細胞／血液細胞／基幹細胞／ｉＰＳ細胞／培養した細胞／バイオ・ハートをコンテイナーに入れることによって、アーティフィシャル・ハートを作る／製作することが可能であることを示した図。コンテイナーは、ダイヤモンドのような、人の体から受け入れられやすいマテリアル／バイオ・マテリアルが良い。プラズマ・イオン・インプランテッド・セラミックのコンテイナーでも良い。コンテイナーに／コンテイナーの中に、生物／豚／ペンギンの心臓を入れることも可能である。バイオ・ハート／心臓／心臓の表面に、人の心筋細胞／造血細胞を、入れて／移植して／張り巡らせて／プリントして／培養することも可能である。コンテイナーとバイオ・ハートの間に、溶液／人の血液／造血細胞／バイオ・マテリアル／マテリアルを入れるのも可能である。接続／パイプ／人工血管／血管の部分に、人の心筋細胞／ジョイント・セル／プラズマ・イオン・インプランテッド・メタル／プラズマ・イオン・インプランテッド・セラミックのようなものを使っても良い。
【図４１】アーティフィシャル・ハーツの進化を示した図。金属、モーター・ハーツ、アーティフィシャル・ハーツのフォームを示した図。
【図４２】アーティフィシャル・ハーツのフォームを示した図。マテリアルを、加工／組み合わせる／つなげ合わせる／ジョイントすることによって製作された。・バイオ・サポーティング・システム。